(57)【特許請求の範囲】
【請求項１】
軽油を水素化処理する工程を有し、該水素化処理する工程におけるＬＨＳＶが０．４〜２．５ｈ-1の範囲であり、水素分圧が２．５〜８．０ＭＰａの範囲であり、反応温度が２５０〜３６０℃の範囲であり、水素／原料油比が２００〜８００Ｎｍ3／ｋｌの範囲である軽油燃料組成物の製造方法であって、
前記水素化処理後の軽油燃料組成物において、室温において、ガラスカラムに充填したシリカゲル４５ｍｌに当該軽油燃料組成物２５０ｍｌを流下させ、ｎ−ペンタン５００ｍｌ、ジエチルエーテル５００ｍｌ、クロロホルム５００ｍｌの順で洗浄した後、エタノールで抽出することにより得られる極性物質の含有量を、軽油１Ｌあたり３０ｍｇ以下とすることを特徴とする軽油燃料組成物の製造方法。
【発明の詳細な説明】
【０００１】
【発明の属する技術分野】
本発明は、軽油燃料組成物に関し、特にシリカゲルに吸着され、メタノール又はエタノールで抽出される極性物質を３０ｍｇ／Ｌ以下含む軽油燃料組成物に関するものである。
【０００２】
【従来の技術】
軽油がユーザーに供給される場合に起こる不具合の一つに軽油特有の泡立ちという問題がある。軽油はガソリン及び灯油と比較して粘度が高いため、振とうすると泡立ちやすい性質を有する。この泡が消えるまでの時間、いわゆる消泡時間が短い場合には特に問題はないが、消泡時間が１分を大きく超える場合には、給油時に泡立ちが大きくなって、タンクが満タンになる前に給油が停止したり、給油に時間がかかったり、あるいは給油口から泡があふれ出たりといった不具合を生じる。これらの不具合は、ガソリンスタンドにとっては、給油機会損失という不都合を生じ、またユーザーにとっては、特に今後その数の増大が予想されるセルフ給油のガソリンスタンドにおいて、給油時のふきこぼれといった問題として顕在化してくることが予想され、当該ふきこぼれ対策が必要となる。
【０００３】
これらの泡立ちは、形成された泡の安定性が高く、泡が容易に消失しないために起こる現象で、泡の安定性を増大させる物質が存在することにより起こりやすくなると考えられる。ところが、該泡立ち原因物質は微量でも顕著に泡立ち及び消泡時間の増大を引き起こし、また、軽油自体が種々の炭化水素の混合物であることから、該物質の同定はガスクロ−質量分析（ＧＣ−ＭＳ）等を用いても、困難であるのが現状である。
【０００４】
ところで、軽油はいくつかの基材を混合して製造されるが、その製造過程において、泡立ち原因物質の混入経路は種々考えられる。例えば、原油そのものに泡立ち原因物質が混入している場合、製油所間の取引で他所から入手した軽油基材に泡立ち原因物質が混入している場合、あるいは泡立ち原因物質が後から混入してしまう場合等が考えられる。
【０００５】
こうした軽油の泡立ち問題を解決する方法として、（１）消泡剤を添加して泡の安定性を低下させる方法、（２）常圧蒸留装置または水素化脱硫装置に通油して、再精製する方法などがある。
しかしながら、（１）消泡剤（油脂系、脂肪酸系、脂肪酸エステル系、アルコール系、エーテル系、リン酸エステル系、アミン系、アマイド系、シリカ系）を使用する方法では、消泡剤が燃焼に悪影響を及ぼすおそれがあり、特に近年の環境対策で装着される排ガス処理装置に悪影響を及ぼす可能性がある。また、消泡剤は高価であり、軽油の製造コストを増大させるという経済的問題点もある。
一方（２）常圧蒸留装置に通油する方法では、泡立ち原因物質を含有しない原油と混合することによって、泡立ち原因物質が希釈されることが期待されるが、具体的に泡立ち原因物質をどの程度低減することで、どの程度の泡立ち防止効果が得られるのか、その指標を決定することが困難であるという問題点がある。
また、水素化脱硫装置に通油する場合も同様で、明確な運転目標を設定することが困難であるという問題点がある。
【０００６】
また、特開２０００−２６５１８０には、硫黄分が０．００５質量％以下、芳香族分が２４容量％以下、かつ３０℃における動粘度が４．０ｍｍ2／ｓ以上５．２ｍｍ2／ｓ以下である発泡性を低減した軽油が開示されているが、泡立ちの原因が軽油の性状に由来するものではなく、上述したような泡立ち原因物質によるものである場合には、軽油の性状規定のみでは泡立ちを防止することはできない。
【０００７】
【発明が解決しようとする課題】
本発明は、消泡時間の短い軽油燃料組成物及び泡立ち原因物質を含有する軽油燃料組成物または軽油基材を処理して、消泡時間の短い軽油燃料組成物の製造方法を提供することを目的とするものである。
【０００８】
【課題を解決するための手段】
本発明者らは、上記目的を達成すべく種々の研究を重ねた結果、軽油燃料組成物中に存在するシリカゲルに吸着され、メタノール又はエタノールによって抽出される極性物質を３０ｍｇ／Ｌ以下とすることで、本発明の目的を達成し得ることを見出し、本発明に至ったものである。
【０００９】
【発明の実施の形態】
本発明における軽油燃料組成物は、シリカゲルに吸着され、メタノール又はエタノールで抽出される極性物質を、該メタノール又はエタノール除去後の重量で、軽油１Ｌあたり３０ｍｇ以下含むことを特徴とするが、ここで、極性物質とは、具体的には次のようにして特定される物質をいう。すなわち、室温において、ガラスカラム等に充填されたシリカゲルに、軽油燃料組成物を流下して、極性物質を吸着させ、該シリカゲルを、非極性溶媒、次いでアルコール以外の極性溶媒で洗浄し、その後メタノール又はエタノールで抽出し、該メタノール又はエタノール溶媒を除去した後に得られる極性物質をいう（以下、単に「極性物質」という）。当該極性物質が、軽油燃料組成物の泡立ち原因物質と考えられ、軽油燃料組成物中に３０ｍｇ／Ｌを超えて存在すると、消泡時間の長い軽油燃料組成物となり、本発明の効果を示さない。
【００１０】
前記シリカゲルについては特に限定されず、市販のものを使用し得る。但し、吸着性能を確保するためには、使用前に脱水することが必要である。
また、前記非極性溶媒は、シリカゲルに吸着した軽油燃料組成物を構成する炭化水素等を洗浄するためのものであり、炭化水素溶媒、エーテル系溶媒などを使用し得る。炭化水素溶媒としては、例えばペンタン、ヘキサン、ヘプタン等、エーテル系としてはジエチルエーテル等が好適に使用される。
その後に使用されるアルコール以外の極性溶媒は、泡立ち原因物質でない極性物質を除去、洗浄するためのものであり、クロロホルムなどのハロゲン化炭化水素溶媒、アセトン等のケトン類等を好適に使用し得る。
尚、本発明におけるメタノール又はエタノールによって抽出される極性物質は、該メタノール又はエタノールをロータリーエバポレーター等によって、蒸発除去することによって回収される。
【００１１】
本発明において、軽油燃料組成物は、主成分が沸点１４０〜４００℃（ＡＳＴＭ  Ｄ８６に準じて測定した場合の値）の炭化水素油であり、硫黄分、密度、セタン指数等は特に限定されない。すなわち、本発明においては、これら軽油燃料組成物自体の性状には関係なく、泡立ち原因物質を除去することで本発明の目的を達成し得る。
【００１２】
本発明の軽油燃料組成物を得る方法としては、前記極性物質を金属酸化物にて吸着除去する方法、前記極性物質を水素化処理により除去する方法等を採用することができる。
【００１３】
前記金属酸化物としては、種々のものが使用でき、特に限定はされないが、例えば、シリカ、シリカゲル、シリカアルミナ、活性白土、シリカマグネシア、アルミナ、活性炭、カルシア、シリカカルシア、水素型Ｙ型ゼオライトなどが使用できる。この中で、イオン交換水中に浸した時にｐＨ７以下となる金属酸化物が好ましく、具体的にはシリカ、シリカゲル、シリカアルミナ、活性白土、シリカマグネシアが好ましい。また、その中でも特にシリカゲルが好ましい。
尚、これら金属酸化物の比表面積は、吸着能力の観点から３０ｍ2／ｇ以上であることが好ましい。
また、吸着除去は、通常、円筒形状の吸着塔に上記金属酸化物を充填し、該極性物質を含有する軽油燃料組成物または軽油基材を液空間速度（ＬＨＳＶ）０．２〜５．０ｈ-1で流通させることで達成され得る。
【００１４】
水素化処理により極性物質を除去する方法としては、一般に用いられる水素化脱硫装置を使用することができ、また処理条件は、軽油燃料組成物中の極性物質を３０ｍｇ／Ｌ以下にするような条件であれば、特に限定されない。通常は、ＬＨＳＶが０．２〜５．０ｈ-1、好ましくは０．４〜２．５ｈ-1、水素分圧が２〜１０ＭＰａ、好ましくは２．５〜８．０ＭＰａ、反応温度が２２０〜４００℃、好ましくは２５０〜３６０℃、水素／原料油比が５０〜１５００Ｎｍ3／ｋｌ、好ましくは２００〜８００Ｎｍ3／ｋｌである。
【００１５】
上記水素化処理に使用し得る触媒としては、水素化能を有する触媒であれば特に限定されないが、単なるオレフィンや芳香環への水素化能を持つのみではなく、水素化脱硫、水素化脱窒素、水素化脱酸素などの機能をも有する水素化処理触媒が好ましい。従って、これらの機能を有する市販触媒が好適に使用し得る。
水素化金属としては、通常Ｎｉ−Ｍｏ，Ｃｏ−Ｍｏ，Ｎｉ−Ｃｏ−Ｍｏ，Ｎｉ−ＷあるいはＰｔ，Ｐｄ，Ｒｈ，Ｒｕ等の金属が好適に用いられる。触媒担体としては、特に限定されないが、通常、アルミナ、シリカ等が用いられる。これらの触媒系のうち、特に好ましいのはＣｏ−Ｍｏ／アルミナ、Ｎｉ−Ｍｏ／アルミナ等である。尚、これらの水素化処理触媒は、通常、予備硫化処理などの前処理を行った後に使用される。
【００１６】
尚、極性物質を金属酸化物にて吸着除去する方法及び水素化処理により除去する方法等においては、最終製品である軽油燃料組成物を処理することもできるし、また極性物質を含有する軽油基材を処理し、その後他の軽油基材と混合して、最終製品である軽油燃料組成物を調製してもよい。さらには、極性物質を含有する軽油基材と、極性物質を含有しない軽油基材を混合した後に、上記処理を行った後、最終製品である軽油燃料組成物を調製してもよい。
【００１７】
【実施例】
次に、本発明を実施例によりさらに詳細に説明するが、本発明は、これらの例によってなんら限定されるものではない。
評価方法
１）極性物質の定量方法
シリカゲル４５ｍｌをガラスカラムに充填し、軽油燃料組成物２５０ｍｌを流下させ、極性物質をシリカゲルに吸着させた。その後、ｎ−ペンタン５００ｍｌ、ジエチルエーテル５００ｍｌ、クロロホルム５００ｍｌで洗浄し、エタノールで該極性物質の抽出を行った。次にエタノールをロータリーエバポレーターで蒸発除去し、極性物質を回収、秤量した。
【００１８】
２）消泡時間
共栓付きの１０ｍｌのメスシリンダーに試料６０ｍｌを採取し、メスシリンダーを３０秒間（６０回）上下に振りまぜ、発生した泡が消え、油面の一部が見えるまでの消泡時間を測定した。
【００１９】
実施例１
内径１５ｍｍの円筒カラムにシリカゲル４５ｍｌを充填し、第１表に示す泡立ちが生じる軽油留分Ａ２をＬＨＳＶ１．７ｈ-1、室温の条件で通油し、シリカゲル通油軽油留分Ｂ２を調製した。また、第１表に示す中東系原油直留軽油留分Ａ１を、市販のＣｏ−Ｍｏ／アルミナ触媒にて、ＬＨＳＶ１．５ｈ-1、水素分圧４．９ＭＰａ、反応温度３３０℃、水素／原料油比２５０Ｎｍ3／ｋｌの条件で水素化処理し、硫黄濃度を３３０重量ｐｐｍまで低減した水素化処理軽油留分Ｂ１を調製した。
水素化処理軽油留分Ｂ１、８５０ｍｌとシリカゲル通油軽油留分Ｂ２、１５０ｍｌを混合し、試作軽油Ｃ１を調製した。試作軽油Ｃ１について、極性物質の量及び消泡時間の測定を行った。その結果を第２表に示す。
【００２０】
実施例２
泡立ちを示す軽油留分Ａ２を、ＬＨＳＶ１．５ｈ-1、水素分圧４．９ＭＰａ、反応温度３３０℃、水素／原料油比２５０Ｎｍ3／ｋｌの条件で水素化処理し、水素化処理軽油留分Ｂ３を調製した。
水素化処理軽油留分Ｂ１、８５０ｍｌと水素化処理軽油留分Ｂ３、１５０ｍｌを混合し、試作軽油Ｃ２を調製した。試作軽油Ｃ２について、極性物質の量及び消泡時間の測定を行った。その結果を第２表に示す。
【００２１】
実施例３
直留軽油留分Ａ１、８５０ｍｌと泡立ちを示す軽油留分Ａ２、１５０ｍｌを混合し、ＬＨＳＶ１．５ｈ-1、水素分圧４．９ＭＰａ、反応温度３３０℃、水素／原料油比２５０Ｎｍ3／ｋｌの条件で水素化処理し、試作軽油Ｃ３を調製した。試作軽油Ｃ３について、極性物質の量及び消泡時間の測定を行った。その結果を第２表に示す。
【００２２】
比較例１
水素化処理軽油留分Ｂ１、８５０ｍｌと泡立ちを示す軽油留分Ａ２、１５０ｍｌを混合し、比較軽油Ｄ１を調製した。比較軽油Ｄ１について、極性物質の量及び消泡時間の測定を行った。その結果を第２表に示す。
【００２３】
実施例４
比較例１で調製した比較軽油Ｄ１を、ＬＨＳＶ１．５ｈ-1、水素分圧４．９ＭＰａ、反応温度３３０℃、水素／原料油比２５０Ｎｍ3／ｋｌの条件で水素化処理し、試作軽油Ｃ４を調製した。試作軽油Ｃ４について、極性物質の量及び消泡時間の測定を行った。その結果を第２表に示す。
【００２４】
比較例２
水素化処理軽油留分Ｂ１、１０００ｍｌに、泡立ちを示す軽油留分Ａ２から実施例１と同様の方法で抽出した極性物質１０ｍｇを添加し、比較軽油Ｄ２を調製した。比較軽油Ｄ２について、極性物質の量及び消泡時間の測定を行った。その結果を第２表に示す。
【００２５】
実施例５
比較例２で調製した比較軽油Ｄ２を、ＬＨＳＶ１．５ｈ-1、水素分圧４．９ＭＰａ、反応温度３３０℃、水素／原料油比２５０Ｎｍ3／ｋｌの条件で水素化処理し、試作軽油Ｃ５を調製した。試作軽油Ｃ５について、極性物質の量及び消泡時間の測定を行った。その結果を第２表に示す。
【００２６】
比較例３
泡立ちを示す軽油留分Ａ２を、ＬＨＳＶ２．２ｈ-1、水素分圧２．９ＭＰａ、反応温度２８０℃、水素／原料油比２５０Ｎｍ3／ｋｌの条件で水素化処理し、水素化処理軽油留分Ｂ４を調製した。水素化処理軽油留分Ｂ１、８５０ｍｌに水素化処理軽油留分Ｂ４、１５０ｍｌを加え、試作油Ｄ３を調製した。試作軽油Ｄ３について、極性物質の量及び消泡時間の測定を行った。その結果を第２表に示す。
【００２７】
比較例４
直留軽油留分Ａ１を、ＬＨＳＶ１．０ｈ-1、水素分圧４．９ＭＰａ、反応温度３５０℃、水素／原料油比２５０Ｎｍ3／ｋｌの条件で水素化処理し、水素化処理軽油留分Ｂ５を調製した。
水素化処理軽油留分Ｂ５、１０００ｍｌに、泡立ちを示す軽油留分Ａ２から実施例１と同様の方法で抽出した極性物質２５ｍｇを添加し、比較軽油Ｄ４を調製した。比較軽油Ｄ４について、極性物質の量及び消泡時間の測定を行った。その結果を第２表に示す。
【００２８】
実施例６
比較軽油Ｄ４を、ＬＨＳＶ１．５ｈ-1、水素分圧４．９ＭＰａ、反応温度３３０℃、水素／原料油比２５０Ｎｍ3／ｋｌの条件で水素化処理し、試作軽油Ｃ６を調製した。試作軽油Ｃ６について、極性物質の量及び消泡時間の測定を行った。その結果を第２表に示す。
【００２９】
【表１】
0005144866.tif 000002
【００３０】
【表２】
0005144866.tif 000003
【００３１】
【発明の効果】
本発明の軽油燃料組成物は泡立ち物質である極性物質の含有量が少ないために、消泡時間が短く、泡立ち現象が無視できるほど小さい。また本発明によれば、泡立ち原因物質及びその定量方法が確立されたため、低コストで泡立ちの少ない軽油燃料組成物を製造することができる。